(57)【特許請求の範囲】
【請求項１】
前後の搬送ラグ２間に果実Ａを受けて搬送するコンベア３の始端部上面に沿って、適宜の長さと幅に形成の繊維毛モップ状、カーテン状、乃至のれん状形態のウェーブ体１を、これら前後複数の搬送ラグ２上縁間にわたって揺動自在に摺接させて設け、このウェーブ体１の上面に受けた果実Ａを波動搬送しながら、このウエーブ体１の先端部、又は間隔部から漏下してコンベア３面に載せることを特徴とする果実コンベア。
【請求項２】
前記コンベ３は、果実Ａを載せて搬送しながら計量選別する選別皿４を有した選別コンベアとして、前後複数の選別皿４の搬送ラグ２上縁間にわたって、前記ウェーブ体１を設けることを特徴とする請求項１に記載の果実コンベア。
【発明の詳細な説明】
【０００１】
【発明の属する技術分野】
この発明は、果実コンベアに関し、ミカン、カキ、サクランボ等の果実類や、ジャガイモ、サツマイモ等のイモ類、ピーマンやニンジン等の野菜類等の搬送、乃至選別処理装置に利用される。
【０００２】
【従来の技術】
コンベアベルトの前後に配置の搬送ラグ間の左右両側に転落防止側板を設けて果実搬送受を構成し、この果実搬送受に供給コンベア終端部のゴム板をのぞませて設け、このゴム板に各搬送ラグを摺接させて揺動させる形態とし、このゴム板が果実搬送受にのぞんだときに、供給コンベアの果実をこの果実搬送受内に供給案内する技術（例えば、特許文献１参照）や、コンベアの終端部に果実の落下を案内する邪魔板を設ける技術（例えば、特許文献２参照）等が知られている。
【特許文献１】
公開昭６７ー１４４９２８号公報
【特許文献２】
公開平１−１２６３２７号公報
【０００３】
【発明が解決しようとする課題】
供給コンベアや、シュータ等から選別コンベアの選別皿上面に果実を一個宛て載せる場合のように、コンベアによる果実の受継ぎを行うときは、果実受継部に落差を生ずることが多く、このため果実の落下によって弾んで前方や側方へジャンプしたり大きく転動して、目的の選別皿に正確な載置供給が行われ難い。このため、選別コンベアの始端部上に、前記特許文献１、又は２のような、ゴム板や布等を垂下させる構成があるが、これによっても目的を達成できない。
【０００４】
【課題を解決するための手段】
請求項１に記載の発明は、前後の搬送ラグ２間に果実Ａを受けて搬送するコンベア３の始端部上面に沿って、適宜の長さと幅に形成の繊維毛モップ状、カーテン状、乃至のれん状形態のウェーブ体１を、これら前後複数の搬送ラグ２上縁間にわたって揺動自在に摺接させて設け、このウェーブ体１の上面に受けた果実Ａを波動搬送しながら、このウエーブ体１の先端部、又は間隔部から漏下してコンベア３面に載せることを特徴とする果実コンベアの構成とする。
【０００５】
コンベア３の駆動搬送によって、この始端部上面に沿って設けられるウエーブ体１が各搬送ラグ２上縁の摺動を受けて、梳き伸ばされるようになる。そして、前後の各搬送ラグ２間に架けわたされたウエーブ体１は、コンベア３の搬送面との間に適宜の高さ間隔部を形成する。この各別に細長く柔らかい繊維状形態のウエーブ体１は、自体の性質に基づいて、この各搬送ラグ２の移動によって滑らかに波動状態に上下揺動される。したがって、この波動状態のウエーブ体１の上面部に果実Ａが供給落下されると、この果実Ａを受けて前後の各搬送ラグ２間の間隔部に凹んで、果実Ａの落下衝撃を吸収すると共に、この搬送ラグ２の移動によるウエーブ体１の波動位相の変移によって、このウエーブ体１に受けた果実Ａを搬送しながら、このウエーブ体１の先端部や、割れ目、乃至間隔部を開いて、ウエーブ体１下側のコンベア３の搬送面へ静かに漏下させて受けさせる。
【０００６】
請求項２に記載の発明は、前記コンベ３は、果実Ａを載せて搬送しながら計量選別する選別皿４を有した選別コンベアとして、前後複数の選別皿４の搬送ラグ２上縁間にわたって、前記ウェーブ体１を設けることを特徴とするものである。
【０００７】
この選別皿４の形態では、比較的皿幅が狭く、深さの浅い形態である場合が多いが、前記のような特性を有したウエーブ体１を摺動させて、このウエーブ体１の上面部に落下果実Ａを受けてから選別皿４に受けさせるものであるから、果実Ａの落下衝撃を軽減することはもとより、選別皿４に一旦入った果実を掻き出し、乃至跳ね出すようなことを無くして、この果実Ａの選別皿４への波動搬送による載置を、正確に、円滑に行わせる。
【０００８】
【発明の効果】
請求項１に記載の発明は、搬送ラグ２の回転によって、この上面に沿うウェーブ体１が、上下に揺動されて波状形態のウェーブ（波動）を生じ、このウェーブ体１の上面に供給される果実Ａが、この波動に伴って波動底部に位置された状態で回転されて、この波動底部の移動と共に前側へ移送される。このウエーブ体１の波動底部に位置して波動搬送される果実Ａは、このウエーブ体１の先端部や、ウエーブ体１に形成される割れ目、乃至間隔部を介して漏下して、このウエーブ体１下面のコンベア３面に静かに載せられる。このようにウェーブ体１に載せられる果実Ａは、ウェーブ体１によって柔かく支持され、しかもこの果実Ａを受ける部分だけ局部的に下方へ窪んで側部の窪まない部分との間に段差を生じて、供給落下の衝撃力が小さく、弾みや横方向への転動も少くなり、果実Ａは、損傷少く、安定して正確にウェーブ体１上面を波動によって転がり搬送されながら、コンベア３の搬送面に受け継がれる。
【０００９】
請求項２に記載の発明は、選別皿４のコンベア回転によって、ウェーブ体１が波動を生ずることによって搬送ラグ２の作用を有し、この選別皿４の上部に波動底部を形成して果実Ａを載せて回転させながら、この波動底部の移動に伴って選別皿４と同期移送することができて、特別の搬送ラグを設けることなく簡単な構成とすることができる。この選別皿４毎に波動を発生させて果実Ａを波動底部に載せた状態で転動搬送するため、選別皿４への受継を一個宛て正確に行わせることができる。
【００１０】
【発明の実施の形態】
この発明は、果実や、野菜、根菜類等（以下単に「果実」と云う。）の搬送ライン、選別ライン等に実施することができる。これら果実等の搬送、選別処理には、果実の搬送行程において受継部には段差を生じて、果実搬送の落差となることが多い。このような箇所においてコンベア３の前後搬送ラグ２の上縁間にわたって摺動支持させるウェーブ体１を設けて、供給落下される果実Ａを受けて、このウェーブ体１の波動作用による波動底部の前側への移動に伴って同調搬送させて、コンベア３への受継ぎを行わせる。ここにおいて、ウエーブ体１は下面を前後一対の搬送ラグ２の上縁部に摺接支持させることによって波動させるもので、この波動の底部乃至凹部に果実Ａを受けさせて、この波動底部の移動に伴って果実Ａを回転させながら前側へ移送するものである。又、ウエーブ体１の波動形成、即ち波動底部乃至凹部の形成は、果実Ａを受けることによって形成されればよく、果実をＡを受けていないときは搬送ラグ２の前後間隔や、選別皿４の前後幅等の広狭によって、更にはウエーブ体１の材質等によっては、これら搬送ラグ２等の回転だけでは明確に形成されない状態にある。
【００１１】
この発明の実施の形態は次のように行われる。請求項１に記載の発明では、繊維毛モップ状、カーテン状、乃至のれん状形態等のウェーブ体１を前後複数の搬送ラグ２上縁部間にわたって上下揺動自在に摺接させて、このウェーブ体１の上面に受けた果実Ａを波動搬送することを特徴とする果実コンベアの構成として、ウェーブ体１の波動底部に支持される果実Ａは、緩衝され、ウェーブ体１の波動底部における局部的な窪みによって、特に横方向への転動を少くして、搬送ラグ２の移動によって波動されるウエーブ体１の波動底部上面では、この波動底部の移動に伴って果実Ａが回転されながら前側へ移送されるため、損傷を少くして安定した波動搬送を行わせることができる。ここに、ウェーブ体１は、繊維毛製モップ状の形態のものであることがよいが、その他、カーテン状、乃至のれん（暖簾）状形態の比較的柔い繊継、合成樹脂、ゴム材等の繊維状形態に構成される。
【００１２】
そして、この繊維毛モップ状のウェーブ体１では、単に太糸状に形成されたものを所定厚さと幅とに渡って束ねた形態や、更にタオルケットのように起毛させた形態とすることができる。又、カーテン状のウェーブ体１では、布面にひだ（襞）乃至褶曲を形成し、細長く切断して、のれん状に形成したものである。更に、のれん状のウェーブ体１では、紐や、帯布、帯ゴム等をのれん形態に形成したものである。これらウェーブ体１は、回転する搬送ラグ２の上面に載せることによって容易に上下揺動されて波動し易いものである。又、果実Ａの種類、受継行程の落差や搬送行程等に応じて適宜長さや、幅、厚さ等に設定されて、各繊維糸、及至繊維紐毎にウエーブ体１の幅方向に分離して割れ易く、乃至開き易い構成としている。
【００１３】
搬送ラグ２は、前後に一定の間隔に配設されて、回転移動されるもので、この前後複数の搬送ラグ２の上側面間にわたってウェーブ体１を受けて後側から前側へ移動しながら、ウェーブ体１に波動を形成させながら、このウェーブ体１上面に載せた果実Ａを前側へ搬送させるものである。このため搬送ラグ２は、単なる横水平方向に沿うバー、ローラ、乃至板状形態とするもよく、更には樋状、箱状、乃至皿状とすることもできる。
【００１４】
請求項２に記載の発明では、前記コンベ３は、果実Ａを載せて搬送しながら計量選別する選別皿４を有した選別コンベアとして、前後複数の選別皿４の搬送ラグ２上縁間にわたって摺動支持させる前記ウェーブ体１を設けることを特徴とする。
【００１５】
この選別皿４の形態では、比較的皿幅が狭く、深さの浅い形態である場合が多いが、前記のような特性を有したウエーブ体１を摺動させて、このウエーブ体１の上面部に落下果実Ａを受けてから選別皿４に受けさせるものであるから、果実Ａの落下衝撃を軽減することはもとより、選別皿４に一旦入った果実Ａを掻き出し、乃至跳ね出すようなことを無くして、この果実Ａの選別皿４への波動搬送による載置を、正確に、円滑に行わせる。
ここに、選別皿４は少なくとも前後縁に皿縁を起立させたもので、皿状乃至樋状形態として、この皿縁を前記搬送ラグ２に代えてウエーブ体１の下面に摺動させて波動を発生させることができる。
【００１６】
このような選別皿４では、果実Ａの衝撃を緩和するために、皿底にラバーのようなクッションゴムで被覆して設けるのが一般的であるが、このようなウエーブ体１を介して果実Ａの供給を受けることによって、クッションゴム等を設ける必要はなく、選別コンベア全体としての構成を簡単にすることができる。
【００１７】
【実施例】
図面に示す具体的実施例について更に詳細に説明する。選別コンベア３は、前後に渡って張設されるチエン５に、選別皿４がリンク機構等で側方へ転倒可能に取付けられて、搬送行程の途中で支持する果実Ａの重量を計量しながら、この計量選別域に達すると側方へ転倒されて果実Ａを選別皿４上面から排出することができる。この選別コンベア３の始端部上に供給コンベア６の終端部をのぞませて、搬送供給される果実Ａを供給することができる。この供給コンベア６には平ベルト７の周面に一定間隔の搬送ラグ８が形成されている。
【００１８】
ウエーブ体１は、毛糸状の縒糸９を束ねたものて、適宜長さの一端部を挾持具１０で挾持して適宜厚さと幅のモップ状、乃至マット状の形態に構成し、選別コンベア３の始端部上において、コンベアフレーム部に取付支架する。このウエーブ体１の先端部側を選別コンベア３の前後複数の選別皿４の回転上面にわたって載せて摺動支持させる。
【００１９】
供給コンベア６上を搬送される果実Ａは終端部から選別コンベア３の始端部のウエーブ体１上面に落下供給される。ウエーブ体１は、選別皿４の回転移動によって基部の挾持具１０部から先端部に渡って梳き伸ばされるようになりながら選別皿４の底面より浮上された状態となっている。ここに果実Ａが落ちるとウエーブ体１の上面に受けられると共に、このウエーブ体１の引っ張りに抗して下側の選別皿４の底面に向けて窪ませる。
【００２０】
このとき、ウエーブ体１は、多数本の縒糸９の束ねられた形態であるため、果実Ａを受けた部分の縒糸９のみが下方へ押込まれて隣接の縒糸９はそのまま引っ張りの状態にあり、果実Ａの落下衝撃を緩和すると共に、横方向への転動移動も抑制することとなる。このようにして選別皿４の内面にウエーブ体１を介して支持された果実Ａは、この選別皿４の移動に伴ってウエーブ体１の上面が波動されて、選別皿４上にウエーブ体１の波動底部が形成されることによって、この波動底部の移動に伴って、転がり順次前方へ移送される。このとき、一旦選別皿４の内に受けられた果実Ａは、前後の別の選別皿４への移動は行われ難く、そのまま前方へ押し出すようにして転がしながら選別皿４と同調移動される。このウエーブ体１の前端や、ウエーブ体１の割れ目、乃至開き間隔部等から果実Ａが外れると、この波動底部を受けていた選別皿４の底面からウエーブ体１の先端部が後退されて無くなる状態となるために、果実Ａは、このウエーブ体１の先端部から選別皿４の上面に直接受けられることとなる。
【００２１】
図１の選別皿４は、横方向に長くしてサツマイモやナスのような長手形態の果実Ａを選別搬送する構成としたが、ミカンやリンゴのような丸目形態の果実Ａの場合は、図４のように選別皿４を正方形の形態とすることができる。又、ウエーブ体１は、果実Ａの横方向への移動をも抑制するため、供給コンベア６からウエーブ体１上に供給された供給位置が維持されるが、選別皿４の幅が狭い場合は、この供給コンベア６による搬送供給する位置をも選別皿４の位置に合わせることが必要である。このような場合は、ベルト７のラグ８の形態を、ラグ中央部１１を狭くしてＶ字形態に形成した供給コンベア６を使用できる。
【図面の簡単な説明】
【図１】  果実コンベアの受継部の斜視図と、そのウエーブ体部の斜視図。
【図２】  果実コンベアの全体の側面図。
【図３】  その一部の作用状態を示す側面図。
【図４】  その一部別実施例を示す斜視図。
【符号の説明】
１    ウエーブ体
２    搬送ラグ
３    コンベア
４    選別皿
【図１】
0004572398.tif 000002
【図２】
0004572398.tif 000003
【図３】
0004572398.tif 000004
【図４】
0004572398.tif 000005